(57)【要約】【課題】ユーザの希望により近い目的地にユーザを誘導することができる技術を提供する。【解決手段】サーバで管理される地点情報を携帯端末を介してナビゲーション装置に転送してナビゲーション装置の目的地を設定するナビゲーションシステムであって、サーバは、複数のユーザからの書き込み情報をネットワークを介して受け付ける書き込み情報受付手段、書き込み情報に基づいて地点情報を生成する地点情報生成手段、生成された地点情報を記憶する地点情報記憶手段、検索要求に応じて所定の地点情報を抽出する抽出手段、地点情報を携帯端末へ送信する送信手段、を有し、携帯端末は、所定の地点情報を受信する受信手段、所定の地点情報を表示する端末表示手段、所定の地点情報を前記ナビゲーション装置へ転送する転送手段、を有し、ナビゲーション装置は、所定の地点情報から、目的地を設定するナビ制御手段、を有する。【選択図】図１
2009156848.tif 000002
【特許請求の範囲】
【請求項１】
サーバで管理される少なくとも位置情報を含む地点情報を携帯端末を介してナビゲーション装置に転送して該ナビゲーション装置の目的地を設定するナビゲーションシステムであって、
前記サーバは、
複数のユーザからの書き込み情報をネットワークを介して受け付ける書き込み情報受付手段と、
前記書き込み情報受付手段で受け付けた書き込み情報に基づいて、前記地点情報を生成する地点情報生成手段と、
前記地点情報生成手段で生成された地点情報を記憶する記憶手段と、
前記記憶手段で記憶した地点情報から、前記携帯端末からの検索要求に応じて前記目的地の候補に対応する所定の地点情報を抽出する抽出手段と、
前記抽出手段で抽出された所定の地点情報を前記携帯端末へ送信する送信手段と、を備え、
前記携帯端末は、
前記送信手段で送信された所定の地点情報を受信する受信手段と、
前記受信手段で受信された所定の地点情報を表示する端末表示手段と、
前記端末表示手段で表示される所定の地点情報を前記ナビゲーション装置へ転送する転送手段と、を備え、
前記ナビゲーション装置は、
前記携帯端末から転送される所定の地点情報を受け付ける受付手段と、
前記受付手段で受け付けた所定の地点情報に含まれる位置情報に基づいて目的地を設定する目的地設定手段と、
前記目的地設定手段で設定された目的地までの経路を表示するナビ表示手段と、を備えるナビゲーションシステム。
【請求項２】
前記受付手段は、前記転送手段から一度の転送で複数の所定の位置情報を受け付け、
前記ナビゲーション装置は、
該ナビゲーション装置の現在位置に関する現在位置情報を取得する現在位置情報取得手段と、
前記現在位置情報取得手段で取得された現在位置情報と前記受付手段で受け付けた複数の所定の地点情報に含まれる位置情報とを比較し、現在位置から目的地までの距離と現在位置から目的地までの所要時間とのうち少なくともいずれか一つを含む所定の条件に基づいて、前記複数の所定の地点情報の順位付けを行う順位付け手段と、を更に備え、
前記目的地設定手段は、前記順位付け手段で順位付けた複数の所定の地点情報に含まれる位置情報に基づいて目的地を設定する、請求項１に記載のナビゲーションシステム。
【請求項３】
前記ナビ表示手段は、前記目的地設定手段で設定された目的地までの経路に加えて、前記受付手段で受け付けた地点情報を表示する、請求項１又は請求項２に記載のナビゲーションシステム。
【請求項４】
前記携帯端末の受信手段は、複数の所定の地点情報を受信し、
前記携帯端末は、前記複数の所定の地点情報を所定の条件に従って並び替える並び替え手段を更に備え、
前記携帯端末の転送手段は、前記並び替え手段によって並び替えられた複数の所定の地点情報を前記ナビゲーション装置へ転送し、
前記ナビゲーション装置の受付手段は、前記携帯端末から転送される並び替えられた複数の所定の地点情報を受け付け、
前記目的地設定手段は、前記受付手段で受け付けた並び替えられた複数の所定の地点情
報に含まれる位置情報に基づいて目的地を設定する
請求項１から請求項３のいずれか一に記載のナビゲーションシステム。
【請求項５】
目的地までの経路探索を行うナビゲーション装置であって、
携帯端末から転送される所定の地点情報を受け付ける受付手段と、
前記受付手段で受け付けた地点情報に含まれる位置情報に基づいて目的地を設定する目的地設定手段と、
前記目的地設定手段で設定された目的地までの経路を表示するナビ表示手段と、を備え、
前記所定の地点情報は、サーバで管理される地点情報であって、ネットワークを介して受け付けられる複数のユーザからの書き込み情報に基づいて生成された地点情報から、前記携帯端末からの検索要求に応じて抽出された前記目的地の候補に対応する地点情報である、ナビゲーション装置。
【請求項６】
前記受付手段は、前記転送手段から一度の転送で複数の所定の位置情報を受け付け、
前記ナビゲーション装置の現在位置に関する現在位置情報を取得する現在位置情報取得手段と、
前記現在位置情報取得手段で取得された現在位置情報と前記受付手段で受け付けた複数の所定の地点情報に含まれる位置情報とを比較し、現在位置から目的地までの距離と現在位置から目的地までの所要時間とのうち少なくともいずれか一つを含む所定の条件に基づいて、前記複数の所定の地点情報の順位付けを行う順位付け手段と、を更に備え、
前記目的地設定手段は、前記順位付け手段で順位付けた複数の所定の地点情報に含まれる位置情報に基づいて目的地を設定する、請求項５に記載のナビゲーション装置。
【請求項７】
前記ナビ表示手段は、前記目的地設定手段で設定された目的地までの経路に加えて、前記受付手段で受け付けた地点情報を表示する、請求項５又は請求項６に記載のナビゲーション装置。
【請求項８】
サーバで管理される少なくとも位置情報を含む地点情報を携帯端末を介してナビゲーション装置に転送して該ナビゲーション装置の目的地を設定する目的地設定方法であって、
前記サーバでは、
複数のユーザからの書き込み情報をネットワークを介して受け付ける書き込み情報受付ステップと、
前記書き込み情報受付ステップで受け付けた書き込み情報に基づいて、地点情報を生成する地点情報生成ステップと、
前記地点情報生成ステップで生成された地点情報を記憶する記憶ステップと、
前記記憶ステップで記憶した地点情報から、前記携帯端末からの検索要求に応じて前記目的地の候補に対応する所定の地点情報を抽出する抽出ステップと、
前記抽出ステップで抽出された所定の地点情報を前記携帯端末へ送信する送信ステップと、が実行され、
前記携帯端末では、
前記送信ステップで送信された所定の地点情報を受信する受信ステップと、
前記受信ステップで受信された所定の地点情報を表示する端末表示ステップと、
前記端末表示ステップで表示される所定の地点情報を前記ナビゲーション装置へ転送する転送ステップと、が実行され、
前記ナビゲーション装置では、
前記携帯端末から転送される所定の地点情報を受け付ける受付ステップと、
前記受付ステップで受け付けた所定の地点情報に含まれる位置情報に基づいて目的地を設定する目的地設定ステップと、
前記目的地設定ステップで設定された目的地までの経路を表示するナビ表示ステップ
と、が実行される目的地設定方法。
【請求項９】
前記受付ステップでは、前記転送ステップにおいて一度の転送で複数の所定の位置情報を受け付け、
前記ナビゲーション装置では、
該ナビゲーション装置の現在位置に関する現在位置情報を取得する現在位置情報取得ステップと、
前記現在位置情報取得ステップで取得された現在位置情報と前記受付ステップで受け付けた複数の所定の地点情報に含まれる位置情報とを比較し、現在位置から目的地までの距離と現在位置から目的地までの所要時間とのうち少なくともいずれか一つを含む所定の条件に基づいて、前記複数の所定の地点情報の順位付けを行う順位付けステップと、が更に実行され、
前記目的地設定ステップでは、前記順位付けステップで順位付けた複数の所定の地点情報に含まれる位置情報に基づいて目的地が設定される、請求項８に記載の目的地設定方法。
【請求項１０】
前記ナビ表示ステップでは、前記目的地設定ステップで設定された目的地までの経路に加えて、前記受付ステップで受け付けた地点情報が表示される、請求項８又は請求項９に記載の目的地設定方法。
【発明の詳細な説明】
【技術分野】
【０００１】
本発明は、ナビゲーションシステム、ナビゲーション装置、及び目的地設定方法に関する。
【背景技術】
【０００２】
車両に搭載される従来のナビゲーション装置は、目的地を設定する際、住所、名前、電話番号等といった情報を操作部から直接入力する必要があり利便性が悪いという問題があった。このような問題を解決する技術として、例えば特許文献１に記載の技術が知られている。特許文献１には、サーバに位置情報を含む地点情報を予め格納しておき、サーバとネットワークを介して接続された携帯端末からの情報検索要求に応じて所定の位置情報を含む地点情報等を検索し、検索結果に含まれる位置情報を赤外線通信によってナビゲーション装置に送信して、ナビゲーション装置の目的地を設定する技術が開示されている。
【特許文献１】特開２００２−２２４６８号公報
【発明の開示】
【発明が解決しようとする課題】
【０００３】
携帯端末によってサーバに格納されている位置情報を含む地点情報を検索し、検索結果に含まれる位置情報を赤外線通信によってナビゲーション装置に送信して、ナビゲーション装置の目的地を設定する技術が開示されている。この技術によれば、携帯端末を使用して検索した位置情報を利用してナビゲーション装置による経路誘導を行うことができる。このようにサーバに格納されている情報からナビゲーション装置の目的地を設定する場合、サーバに格納されている情報が少ない、或いは古いとユーザの希望に合った情報を得ることができず、その結果、ユーザの希望に合った目的地へユーザを誘導することができない虞がある。換言すると、より多くの情報、より新しい情報に基づいて所定の情報を検索し、その検索結果に含まれる位置情報をナビゲーション装置の目的地として設定することができれば、ユーザの希望に合った目的地にユーザを誘導することができる。
【０００４】
本発明では、上記した問題に鑑み、ユーザの希望により近い目的地にユーザを誘導することができる技術を提供することを課題とする。
【課題を解決するための手段】
【０００５】
本発明では、上述した課題を解決するために、複数のユーザからの書き込み情報に基づいて生成された地点情報に基づいてナビゲーション装置の目的地を設定することとした。
【０００６】
詳細には、本発明は、サーバで管理される少なくとも位置情報を含む地点情報を携帯端末を介してナビゲーション装置に転送して該ナビゲーション装置の目的地を設定するナビゲーションシステムであって、前記サーバは、複数のユーザからの書き込み情報をネットワークを介して受け付ける書き込み情報受付手段と、前記書き込み情報受付手段で受け付けた書き込み情報に基づいて、地点情報を生成する地点情報生成手段と、前記地点情報生成手段で生成された地点情報を記憶する記憶手段と、前記記憶手段で記憶した地点情報から、前記携帯端末からの検索要求に応じて前記目的地の候補に対応する所定の地点情報を抽出する抽出手段と、前記抽出手段で抽出された所定の地点情報を前記携帯端末へ送信する送信手段と、を備え、前記携帯端末は、前記送信手段で送信された所定の地点情報を受信する受信手段と、前記受信手段で受信された所定の地点情報を表示する端末表示手段と、前記端末表示手段で表示される所定の地点情報を前記ナビゲーション装置へ転送する転送手段と、を備え、前記ナビゲーション装置は、前記携帯端末から転送される所定の地点情報を受け付ける受付手段と、前記受付手段で受け付けた地点情報に含まれる位置情報に
基づいて目的地を設定する目的地設定手段と、前記目的地設定手段で設定された目的地までの経路を表示するナビ表示手段と、を備える。
【０００７】
本発明によれば、複数のユーザからの書き込み情報に基づいて生成された地点情報、すなわち新しくかつ非常に多くの情報が反映された地点情報に基づいてナビゲーション装置の目的地を設定することができる。その結果、本発明によれば、ユーザの希望により近い目的地にユーザを誘導することができる。
【０００８】
サーバは、書き込み情報受付手段と、地点情報生成手段と、記憶手段と、抽出手段と、送信手段とを備える。書き込み情報受付手段は、複数のユーザからの書き込み情報をネットワークを介して受け付ける。書き込み情報には、地点情報を構成する様々な情報が含まれる。書き込み情報は、位置を特定するための位置情報の他、コメント、写真等であってもよい。書き込み情報は、既にサーバで管理されている地点情報を補足したり修正したりする情報の他、地点情報そのものを新たに追加するものであってもよい。書き込み情報には、コメント・ニュース等のテキスト、写真、動画、音声等が例示され、このような書き込み情報は、サーバに接続されたネットワークを介して取得される。ネットワークとは、サーバと携帯端末やパーソナルコンピュータ等を接続する回線網であり、移動体通信網やインターネットなどの通信ネットワークである。地点情報は、特定スポットの位置情報を含んでいることで地図を作成できる情報であればよく、書き込み情報に基づいて生成される。地点情報には、飲食店に関する情報、人気スポットに関する情報、ユーザの趣味に基づく様々なスポットに関する情報が例示される。位置情報は、位置を特定する情報であればよく、経度緯度情報、郵便番号、住所、電話番号等に関する情報が例示される。
【０００９】
抽出手段は、前記記憶手段で記憶した地点情報から、前記携帯端末からの検索要求に応じて前記目的地の候補に対応する所定の地点情報を抽出する。検索要求とは、携帯端末からユーザによって入力される条件であり、携帯端末で入力されるキーワード、携帯端末で選択されるトップページに記載されているお気に入り項目が例示される。なお、検索要求は、ユーザによって設定されたタグ、アクセス回数によるものであってもよい。
【００１０】
送信手段は、抽出手段で抽出された所定の地点情報をネットワークを介して携帯端末へ送信する。携帯端末では、送信された所定の地点情報を受信手段で受信し、端末表示手段で表示する。所定の地点情報とは、記憶手段で記憶している多くの地点情報の中から検索要求に応じて抽出されたものであり、単数でもよく、また、複数であってもよい。転送手段は、端末表示手段に表示される所定の地点情報をナビゲーション装置へ転送する。なお、端末表示手段に表示される所定の地点情報が複数である場合、この複数の所定の地点情報についてユーザからの選択を受け付け可能とし、ユーザによって選択された所定の地点情報のみナビゲーション装置へ転送するようにしてもよい。従って、この場合には、携帯端末にユーザからの選択受付手段を別途設ければよい。
【００１１】
携帯端末から転送される所定の地点情報は、ナビゲーション装置の受付手段で受け付けられる。携帯端末からの転送は、例えば赤外線通信によって行うことができる。但し、これに限定されない。電気的に接続されていればよく、無線、有線、いずれであってもよい。目的地設定手段は、受付手段で受け付けた地点情報に基づいて目的地を設定する。すなわち、目的地設定手段は、地点情報に含まれる所在地に関する情報（例えば、経度緯度情報）に基づいてユーザを経路誘導する目的地を設定する。なお、携帯端末は、受信手段、端末表示手段、転送手段を備えていればよく、その形態は特に限定されない。携帯端末には、据え置き型の端末以外のもの、例えば、ハンディ型、ノートブック型が例示される。
【００１２】
なお、ナビゲーション装置の受付手段は、前記転送手段から一度の転送で複数の所定の位置情報を受け付けてもよい。その場合、本発明において、前記受付手段は、前記携帯端
末から複数の所定の地点情報を受け付け、前記ナビゲーション装置は、前記ナビゲーション装置の現在位置に関する現在位置情報を取得する現在位置情報取得手段と、前記現在位置情報取得手段で取得された現在位置情報と前記受付手段で受け付けた複数の所定の地点情報に含まれる位置情報とを比較し、現在位置から目的地までの距離と現在位置から目的地までの所要時間とのうち少なくともいずれか一つを含む所定の条件に基づいて、前記複数の所定の地点情報の順位付けを行う順位付け手段と、を更に備え、前記目的地設定手段は、前記順位付け手段で順位付けた複数の所定の地点情報に含まれる位置情報に基づいて目的地を設定することができる。
【００１３】
現在位置情報取得手段は、本発明のナビ制御装置が搭載されるナビゲーション装置の現在位置情報を取得する。現在位置の取得は、例えば、従来のナビゲーション装置に備えられているＧＰＳ（Global Positioning System）を利用すればよい。
【００１４】
順位付け手段は、携帯端末から送信される複数の所定の地点情報に対して順位付けを行う。より具体的には、順位付け手段は、現在位置情報取得手段で取得された現在位置情報と受付手段で受け付けた複数の所定の地点情報に含まれる位置情報とを比較し、現在位置から目的地までの距離と現在位置から目的地までの所要時間とのうち少なくともいずれか一つを含む所定の条件に基づいて、複数の位置情報の順位付けを行う。現在位置から目的地までの距離と現在位置から目的地までの所要時間の算出は、従来のナビゲーション装置の技術を適宜用いることができる。なお、現在位置から一の目的地までの距離や所要時間は、誘導経路によって異なる。つまり、現在位置からある目的地までの距離や所要時間は、検索条件（例えば、高速道路の使用の有無等）によって異なってくる。従って、夫々の目的地毎に更に複数の誘導経路を算出する場合、例えば、高速道路の使用の有無等の検索条件を統一した上で夫々最も適切な誘導経路を選択し、選択された最適な誘導経路における距離や所要時間を比較することが好ましい。これにより、より正確な比較、及び順位付けが可能となる。
【００１５】
順位付けを行った場合には、目的地設定手段は、順位付け手段で順位付けがなされた複数の所定の地点情報に基づいて目的地を設定する。例えば、現在位置から目的地までの距離に基づいて順位付けした場合であって、距離が短い順に順位付けを行った場合には、現在位置から目的地までの距離が最も短い目的地が最初の目的地として設定されることになる。
【００１６】
ここで、本発明において、前記ナビ表示手段は、前記目的地設定手段で設定された目的地までの経路に加えて、前記受付手段で受け付けた地点情報を表示するようにしてもよい。ナビ表示手段と端末表示手段は、夫々ディスプレイによって構成することができるが、一般的にナビ表示手段の方が、端末表示手段よりも多くの情報を表示することができる。従って、複数の所定の地点情報をナビ表示手段に表示することで、複数の所定の地点情報をより見易く表示することができる。
【００１７】
ここで、本発明は、渋滞情報を取得する渋滞情報取得手段と、前記渋滞情報取得手段で取得された渋滞情報を記憶する渋滞情報記憶手段と、を更に備え、前記順位付け手段は、前記渋滞情報取得手段で取得したリアルタイムの渋滞情報と、前記渋滞情報記憶手段に記憶されている渋滞情報とを考慮して、前記複数の所定の地点情報の順位付けを行うようにしてもよい。
【００１８】
渋滞情報取得手段は、渋滞情報を取得する。渋滞情報の取得は、例えば、従来のナビゲーション装置に備えられているＶＩＣＳ（Vehicle Information and Communication System）を利用すればよい。順位付けを行うに際して、渋滞情報を考慮することでより適切な順位付けを行うことができる。ここで、例えば、ＶＩＣＳを利用して渋滞情報を取得する
場合、リアルタイムな渋滞情報は、タイムラグが発生するなど、実際の混雑状況と取得した渋滞情報との間に誤差が生じる虞がある。そこで、本発明では、順位付けに際し、リアルタイムの渋滞情報だけでなく、過去の渋滞情報を考慮することとした。渋滞情報記憶手段は、渋滞情報取得手段で取得された渋滞情報を記憶する。例えば、渋滞情報記憶手段は、誘導経路毎の混雑状況を曜日や時間帯に分けて記憶する。混雑状況は、例えば、混雑、順調といったように段階的に記憶すればよい。位置情報の順位付けを行うに際して、このような渋滞情報記憶手段に記憶されている過去の渋滞情報を考慮することで、より適切な順位付けを行うことができる。
【００１９】
また、本発明において、前記携帯端末の受信手段は、複数の所定の地点情報を受信し、前記携帯端末は、前記複数の所定の地点情報を所定の条件に従って並び替える並び替え手段を更に備え、前記携帯端末の転送手段は、前記並び替え手段によって並び替えられた複数の所定の地点情報を前記ナビゲーション装置へ転送し、前記ナビゲーション装置の受付手段は、前記携帯端末から転送される並び替えられた複数の所定の地点情報を受け付け、前記目的地設定手段は、前記受付手段で受け付けた並び替えられた複数の所定の地点情報に含まれる位置情報に基づいて目的地を設定するようにしてもよい。
【００２０】
所定の条件には、人気ランキングが例示される。また、携帯端末がＧＰＳ機能を有している場合、携帯端末の現在位置情報取得手段で取得された現在位置情報と携帯端末の受信手段で受信した複数の所定の地点情報に含まれる位置情報とを比較し、現在位置から目的地までの距離と現在位置から目的地までの所要時間とのうち少なくともいずれか一つを含む所定の条件に基づいて、複数の位置情報の順位付けを行うようにすることができる。
【００２１】
ここで、本発明は、上述したナビゲーションシステムを構成する、サーバ、ナビゲーション装置、携帯端末としてもよい。また、本発明は、上述したナビ制御装置、サーバ、携帯端末で実行される処理を実現させる方法（目的地設定方法）、又はプログラムであってもよい。更に、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００２２】
本発明によれば、ユーザの希望により近い目的地にユーザを誘導することができる技術を提供すること技術を提供することができる。
【発明を実施するための最良の形態】
【００２３】
本発明のナビゲーションシステムの実施形態について説明する。
【００２４】
[第一実施形態]
＜構成＞
図１は、第一実施形態のナビゲーションシステムの概略構成を示す。同図に示すように、本実施形態のナビゲーションシステム１は、サーバ２と、携帯端末３と、車両５に搭載されたナビゲーション装置４と、によって構成されている。そして、サーバ２と携帯端末３とは、通信網６を介して接続されており、更にサーバ２には、通信網６を介して多数の外部パーソナルコンピュータ７ａ、７ｂや外部携帯端末７ｃ、７ｄがアクセス可能となっている。なお、通信網６は、サーバ２と携帯端末３や外部パーソナルコンピュータ７ａ、７ｂ等を接続する回線網であり、移動体通信網やインターネットなどの通信ネットワークによって構成することができる。
【００２５】
（サーバ）
図２は、サーバ２の機能ブロック図を示す。サーバ２は、ＣＰＵ（中央演算処理装置）１１、制御部１１ａ、操作部１２、表示部１３、から構成されている。制御部１１ａは、メモリ１４、記憶部（ハードディスクドライブ）１５、書き込み情報受付部１６、抽出部１７、抽出された所定の地点情報を送信する送信部１８、地点情報生成部１９から構成されている。なお、書き込み情報受付部１６、抽出部１７、送信部１８、地点情報生成部１９は、ＣＰＵ２１上で実行されるコンピュータプログラムとして構成することができる。
【００２６】
ＣＰＵ１１は、バスを介して上述した記憶部１５等の各ハードウェアと接続され、記憶部１５等のハードウェアを制御すると共に、例えばメモリ１４としてのＲＯＭに格納された制御プログラムに従って、所定の処理を実行する。
【００２７】
記憶部１５は、ハードディスクドライブにより構成することができる。メモリ１４は、揮発性のＲＡＭ（Random Access Memory）と、不揮発性のＲＯＭ（Read Only Memory）を含む。ＲＯＭには、フラッシュメモリ、ＥＰＲＯＭ（Erasable Programmable Read-Only Memory）、ＥＥＰＲＯＭ（Electrically Erasable Programmable Read-Only Memory）の
ような書き換え可能な半導体メモリを含む。
【００２８】
操作部１２は、コンピュータの入力装置、例えば、キーボード、ポインティングデバイス等が含まれる。表示部１３は、例えば、液晶表示装置、プラズマディスプレイパネル、ＣＲＴ（Cathode Ray Tube）、エレクトロルミネッセンスパネル等である。
【００２９】
書き込み情報受付部１６は、複数のユーザからの書き込み情報をネットワークを介して受け付ける。すなわち、書き込み情報受付部１６は、通信網６を介して多数の外部パーソナルコンピュータ７ａ、７ｂや外部携帯端末７ｃ、７ｄから書き込み情報を受け付ける。書き込み情報には、位置を特定するための位置情報の他、コメント、写真等が含まれる。書き込み情報は、既にサーバ２で管理されている地点情報を補足したり修正したりする情報の他、地点情報そのものを新たに追加するものであってもよい。
【００３０】
地点情報生成部１９は、書き込み情報受付部１６で受け付けた書き込み情報に基づいて地点情報を生成する。書き込み情報には、コメント・ニュース等のテキスト、写真、動画、音声等が含まれる。地点情報には、Ｅｘｉｆ情報やニュース情報も含まれる。Ｅｘｉｆ情報は、例えば画像検索で取得した画像（例えば、風景）を見て、その場所に行きたいと思ったときに画像データに含まれる位置情報をナビゲーション装置に転送することで生成される。また、ニュース情報は、ニュース自体に位置情報が割り当てられているニュース情報をナビゲーション装置に転送することで生成される。位置情報は、位置を特定できる情報であればよく、経度緯度に限らず、郵便番号、住所、電話番号等であってもよい。
【００３１】
記憶部１５は、本発明の地点情報記憶手段に相当し、生成された地点情報を記憶する。ここで、図３は、記憶部１５に記憶されている地点情報の概略構成を示す。同図に示すように、記憶部１５に記憶される地点情報は、ユーザが作成したテーマに対応する複数のデータベースによって構成されている。例えば、複数のデータベースとは、ユーザＡのオススメスポット、○○地区のラーメン店、△○地区のカレー屋さん、夜景ランキング、○○駅周辺、オススメゴルフ場である。このようなデータベースは、外部パーソナルコンピュータ７ａ、７ｂや外部携帯端末７ｃ、７ｄを介してユーザが新たなテーマ及びテーマに沿った書き込み情報（経度緯度、スポット名称、住所等）を入力することで生成される。
【００３２】
図４は、記憶部１５で記憶されている地点情報を構成するデータベースの一例を示す。同図に示すデータベースは、ユーザＡのオススメスポットに対応するものであり、経度緯
度、スポット名称、住所、ＵＲＬ、コメント、写真、ユーザからのアクセス回数、によって構成されている。コメントは、他のユーザが外部パーソナルコンピュータ７ａ、７ｂや外部携帯端末７ｃ、７ｄを介して書き込み情報として書き込まれたコメントである。このような記憶部１５で記憶されている地点情報を構成するデータベースは、複数のユーザからの書き込み情報によって随時生成又は更新される。
【００３３】
抽出部１７は、携帯端末３より入力された検索条件に基づいて記憶部１５で記憶されている地点情報から所定の地点情報を抽出する。検索条件は、例えばキーワードによるものが例示される。ここで、図５は、携帯端末３の表示部２５に表示される検索画面の一例を示す。携帯端末３の表示部２５には、Ｗｅｂページが表示され、このＷｅｂページには、キーワード入力部２９ａ、追加地点情報２９ｂ、人気ランキング２９ｃが表示されている。例えば、キーワード入力部２９ａにオススメスポットと入力すると、抽出部１７は、記憶部１５から「ユーザＡのオススメスポット」のデータベースに記憶されている地点情報を抽出する（図３、図４参照）。なお、検索条件は、キーワードに限られるものではない。携帯端末３の表示部２５には、予め追加地点情報２９ｂや、人気ランキング２９ｃが表示されている。従って、キーワード検索を行わずに、直接表示部に表示されているいずれかの項目を選択してもよい。この場合、抽出部１７は、選択された項目に対応する地点情報を抽出することになる。なお、追加地点情報２９ｂは、例えば２４時間以内といったように最近新たに追加された情報である。人気ランキング２９ｃは、アクセス数に基づく情報である。
【００３４】
送信部１８は、抽出された地点情報を携帯端末３へ通信網６を介して送信する。地点情報を送信する際の記述形式は、特に限定されないが、例えばＨＴＭＬ（HyperText Markup
Language）形式とすることができる。地点情報には、少なくとも位置情報としての経度
緯度が含まれる。
【００３５】
（携帯端末）
図６は、携帯端末３の機能ブロック図を示す。図６に示すように、携帯端末３は、ＣＰＵ（中央演算処理装置）２１、制御部２１ａ、操作部２４、表示部２５、外部機器と接続可能なインターフェース部２６から構成されている。携帯端末３の制御部２１ａは、メモリ２３、受信部２７、転送部２８から構成されている。
【００３６】
ＣＰＵ２１は、バスを介して上述したメモリ２３等の各ハードウェアと接続され、メモリ２３等のハードウェアを制御すると共に、例えばメモリ２３としてのＲＯＭに格納された制御プログラムに従って、所定の処理を実行する。メモリ２３は、揮発性のＲＡＭと、不揮発性のＲＯＭとを含む。操作部２４は、携帯端末３を操作するのに必要な一般的な操作ボタンであればよく、タッチディスプレイ方式であってもよい。本実施形態のインターフェース部２６は、ナビゲーション装置４と通信可能な赤外線ポートによって構成されている。但し、インターフェース部２６は、ナビゲーション装置４と電気的に接続可能なものであればよく、有線、無線を問わない。インターフェース部２６は、ケーブルを接続するコネクタであってもよく、また、ブルートゥース（登録商標）の送信部であってもよい。
【００３７】
メモリ２３は、携帯端末３に必要な各種制御プログラムを格納する。また、メモリ２３は、サーバ２から送信された複数の位置情報を一時的に格納することもできる。受信部２７は、サーバ２から送信された地点情報を受信する。また、転送部２８は、受信部２７で受信した地点情報に含まれる位置情報（経度緯度）を赤外線通信によってナビゲーション装置４へ転送する。なお、受信部２７及び転送部２８は、ＣＰＵ２１上で実行されるコンピュータプログラムとして構成することができる。また、受信部２７及び転送部２８は、専用のプロセッサとして構成してもよい。
【００３８】
ここで、図７は、サーバ２から携帯端末３へ送信された地点情報の表示状態の一例を示す。同図に示すように、携帯端末３の表示部２５には、検索結果を表示するＷｅｂページが表示されており、このＷｅｂページには、スポット名、住所、コメント、写真が表示されている。なお、夫々のスポットを選択することで、更に詳細な情報を表示するＷｅｂページへジャンプできるようハイパーリンクが設定されている。また、図７に示すＷｅｂページには、検索結果に加えて、「赤外線通信を開始しますか？」とのコメントと、検索結果としての地点情報の送信を実行する送信ボタン２９が表示されている。携帯端末３のユーザは、検索結果の中から所定のスポットを選択し、送信ボタン２９を押すことでナビゲーション装置４に対して、希望するスポットの地点情報に含まれる位置情報（経度緯度）を転送する。なお、ナビゲーション装置４では、携帯端末３からの位置情報の受け付けを可能とする為、予め赤外線通信を可能な状態にしておく必要がある。
【００３９】
（ナビゲーション装置）
図８は、ナビゲーション装置４の概略構成を示す。ナビゲーション装置４は、ディスク再生部３１と、メモリーカード再生部３２と、ＴＶ受信部３３と、ラジオ受信部３４と、ディスプレイ３５と、ＧＰＳ情報受信部３６と、操作部３７と、赤外線通信部３８と、これらと電気的に接続されるナビ制御部３０ａと、により構成されている。
【００４０】
ディスク再生部３１は、ＣＤやＤＶＤ等に記録されているコンテンツデータを再生する。ディスク再生部３１は、ＣＤ／ＤＶＤデッキによって構成することができる。メモリーカード再生部３２は、ＵＳＢメモリ、ＳＤメモリーカードといった移動型記憶媒体に格納されているコンテンツデータを再生する。ＴＶ受信部３３は、ＤＴＶ（Digital Television）放送やワンセグ放送を受信する。ＴＶ受信部３３は、既存のチューナによって構成することができる。ラジオ受信部３４は、ＦＭ放送、ＡＭ放送、ＶＩＣＳ情報等を受信する。ラジオ受信部３４は、既存のチューナによって構成することができる。ディスプレイ３５は、地点情報、誘導経路の他、例えば位置情報と共に携帯端末から転送された各種情報（例えば、築年数、最寄り駅からの時間、間取り）を表示する。ディスプレイ３５は、タッチパネル方式であることが好ましいが、既存の様々なディスプレイを適用することができる。ＧＰＳ情報受信部３６は、ＧＰＳ情報を受信する。ＧＰＳ情報受信部３６は、既存のＧＰＳ用受信アンテナによって構成することができる。操作部３７は、ユーザの操作に応じて、操作ボタンに対応する電気信号をナビ制御部３０ａへ送信する。操作部３７は、ナビゲーション装置４に設けてもよく、また、遠隔操作を可能とするリモートコントローラであってもよい。赤外線通信部３８は、携帯端末３から出力される赤外線を受信する。
【００４１】
なお、ナビゲーション装置４は、車両５に対して取り外し可能ないわゆるポータブルナビであってもよい。その場合には、ナビゲーション装置４は、上記に加えて、スピーカやメモリーカードを内蔵する構成とすればよい。スピーカは、ディスク再生部３１やメモリーカード再生部３２で再生される音声を出力する。メモリーカードには、ＵＳＢメモリ、ＳＤメモリーカードといった移動型記憶媒体が例示される。
【００４２】
次に、上記ナビゲーション装置４に搭載されるナビ制御部３０ａついて説明する。図９は、ナビ制御部３０ａの機能ブロック図を示す。なお、図９に示す機能ブロック図では、上述したディスク再生部３１やメモリーカード再生部３２を制御する制御部については、図示を省略するものとする。
【００４３】
図９に示すように、ナビ制御部３０ａは、受付部４１と、現在位置情報取得部４２と、目的地設定部４６と、によって構成されている。なお、ナビ制御部３０ａは、ＣＰＵ、メモリ等を含むコンピュータとコンピュータ上で実行されるプログラムによって実現することができる。
【００４４】
受付部４１は、赤外線通信部３８で受信した携帯端末３からの赤外線を通じて所定の地点情報に含まれる位置情報（経度緯度）を受け付ける。なお、位置情報以外の情報についても、受付部４１が受け付けることができる。現在位置情報取得部４２は、ナビゲーション装置４の現在位置に関する現在位置情報をＧＰＳ情報受信部３６から取得する。目的地設定部４６は、受信部４１で受け付けた所定の地点情報に含まれる位置情報に基づいて目的地を設定する。
【００４５】
＜処理フロー＞
次に本実施形態のナビゲーションシステム１で行われる目的地設定処理フローについて説明する。図１０は、ナビゲーションシステム１で行われる目的地設定処理フローを示す。
【００４６】
携帯端末３のユーザによって、携帯端末３から検索条件が入力されると、目的地設定処理フローが開始される。携帯端末３から検索条件が入力されると、携帯端末３と通信網６を介して接続されているサーバ２の抽出部１７は、記憶部１５で記憶されている地点情報（図４参照）から検索条件に合致する所定の地点情報を抽出する（ステップＳ０１）。所定の地点情報の抽出が完了すると、ステップＳ０２へ進む。
【００４７】
ステップＳ０２では、抽出された所定の地点情報がＨＴＭＬ形式で記述され、携帯端末３へ送信される。所定の地点情報には、経度緯度に加えて、スポット毎の住所、ＵＲＬ等が含まれる。抽出された地点情報の送信が完了すると、ステップＳ０３へ進む。
【００４８】
ステップＳ０３では、携帯端末３の受信部２７によって、サーバ２から送信された所定の地点情報が受信される。すなわち、携帯端末３の表示部２５にはＷｅｂページが表示される（図７参照。）次にステップＳ０４では、Ｗｅｂページに設けられている送信ボタン２９が押されることで、Ｗｅｂページに表示されている所定の地点情報のうち、ユーザによって選択された一つの地点情報が赤外線通信によってナビゲーション装置４に転送される。ナビゲーション装置４への位置情報の転送が完了すると、ステップＳ０５へ進む。
【００４９】
ステップＳ０５では、ナビゲーション装置４の受付部４１によって、所定の地点情報が取得される。次に、ステップＳ０６では、受付部４１によって取得された所定の地点情報に含まれる位置情報（経度緯度）に基づいて目的地の設定が行われる。
【００５０】
＜効果＞
以上説明した本実施形態のナビゲーションシステム１によれば、複数のユーザからの書き込み情報に基づいて生成された地点情報、すなわち新しくかつ非常に多くの情報が反映された地点情報に基づいてナビゲーション装置の目的地を設定することができる。その結果、本発明によれば、ユーザの希望により近い目的地にユーザを誘導することができる。
【００５１】
[第二実施形態]
次に第二実施形態のナビゲーションシステム１について説明する。以下の説明では、第一実施形態のナビゲーションシステム１との相違点を中心に説明するものとする。
【００５２】
＜構成＞
第二実施形態のナビゲーションシステム１は、ナビゲーション装置４ａのナビ制御部３０ｂの構成のみが第一実施形態のナビゲーションシステム１のナビゲーション装置４と異なる。図１１は、第二実施形態のナビゲーション装置４ａのナビ制御部３０ｂの機能ブロック図を示す。同図に示すように、第二実施形態のナビ制御部３０ｂには、第一実施形態のナビ制御部３０ａの構成に加えて、順位付け部４３、渋滞情報取得部４４、渋滞情報記
憶部４５が更に設けられている。
【００５３】
順位付け部４３は、現在位置情報取得部４２で取得された現在位置情報と受付部４１で受け付けた複数の所定の地点情報に含まれる位置情報（スポットＡからスポットＥの経度緯度）とを比較し、現在位置から目的地までの距離と現在位置から目的地までの所要時間とのうち少なくともともいずれか一つを含む所定の条件に基づいて、位置情報の順位付けを行う。
【００５４】
渋滞情報取得部４４は、渋滞情報を取得する。すなわち、渋滞情報取得部４４は、ラジオ受信部３４で受信したＶＩＣＳ情報を取得する。渋滞情報記憶部４５は、渋滞情報取得部４４で取得した渋滞情報を記憶する。ここで、図１２は、渋滞情報のデータベースの一例を示す。図１２に示すデータベースは、誘導経路（ルート）毎の混雑状況が段階的に表現されることで構成されている。また、混雑状況は、時間帯、曜日毎に区分けされている。なお、混雑レベルは、混雑レベル５が最も混雑する状態を示している。このように取得した渋滞情報をデータベース化し、位置情報の順位付けの際に渋滞情報を考慮することで、ＶＩＣＳ情報受信時のタイムラグ等による誤差に左右されない、より適正な順位付けを行うことが可能となる。
【００５５】
なお、渋滞情報取得部４４は、揮発性のＲＡＭと、不揮発性のＲＯＭとを含む。また、ナビ制御部３０ｂは、受付部４１と、現在位置情報取得部４２と、順位付け部４３と、渋滞情報取得部４４の夫々は、ＣＰＵ３０上で実行されるコンピュータプログラムとして構成することができる。また、これらは、専用のプロセッサとして構成してもよい。
【００５６】
＜処理フロー＞
次に第二実施形態のナビゲーションシステム１で行われる目的地設定処理フローについて説明する。図１３は、第二実施形態のナビゲーションシステム１で行われる目的地設定処理フローを示す。第二実施形態の目的地設定処理フローにおいても、上述した第一実施形態の目的地設定処理フローと同様にステップＳ０１からステップＳ０３までの処理が行われる。そこで、以下の説明では、ステップＳ０３の処理が終了した後の処理について説明する。
【００５７】
ステップＳ４１では、携帯端末３の表示部２５に表示されるＷｅｂページに設けられている送信ボタン２９が押されることで、Ｗｅｂページに表示されている複数の所定の地点情報が赤外線通信によってナビゲーション装置４に転送される。すなわち、第一実施形態における目的地設定処理フローでは、ユーザによって選択された一つの所定の地点情報が転送されたが、本実施形態では、複数の所定の地点情報が転送される。なお、Ｗｅｂページに表示されている全ての所定の地点情報を転送してもよく、また、ユーザによって選択可能とし、選択された複数の所定の地点情報を転送するようにしてもよい。
【００５８】
ここで、図１４は、複数の地点情報を一度に転送する場合のシーケンス図を示す。まず、ステップＳ４１１では、携帯端末３からナビゲーション装置４ａへ、地点情報を送信する確認信号が送信される。続いて、ステップＳ４１２では、ナビゲーション装置４ａから携帯端末３へ、地点情報が受信可能であることを示す確認信号が送信される。続いて、ステップＳ４１３では、携帯端末３からナビゲーション装置４ａへ、複数の所定の地点情報（地点情報１、地点情報２、地点情報３）が送信される。その後、ステップＳ４１４では、ナビゲーション装置４ａから携帯端末３へ、通信を終了する確認信号が送信される。以上により、複数の地点情報の転送が完了する。なお、一の地点情報を転送する場合においても基本的には、同様のシーケンスによって地点情報の転送が行われる。ナビゲーション装置４ａへの複数の所定の地点情報の転送が完了すると、ステップＳ４２へ進む。
【００５９】
ステップＳ４２では、ナビゲーション装置４ａの受付部４１によって、複数の所定の地点情報が取得される。次にステップＳ４３では、現在位置情報取得部４２で取得された現在位置情報と受付部４１で受け付けた複数の所定の地点情報に含まれる位置情報とが比較され、所定の条件に基づいて地点情報の順位付けが行われる。より具体的には、順位付け部４３によって、ＧＰＳ情報受信部３６で受信された現在位置情報（経度緯度）と受付部４１で取得した複数の所定の地点情報に含まれる位置情報（経度緯度）とが比較され、距離が短い順に順位付けが行われる。例えば、現在位置からスポットＢまでの距離が最も短い場合、スポットＢが最初の目的地として設定される。
【００６０】
なお、現在位置情報の取得は、ステップＳ４２、４３による処理とは、別の処理として、所定の間隔で繰り返される。すなわち、現在位置情報は、現在位置情報取得部４２によって、随時取得される。順位付け部４３は、このように所定の間隔で取得された現在位置情報と受付部４１で取得した複数の所定の地点情報に含まれる位置情報とを比較することで順位付けを行う。
【００６１】
次に、ステップ４４では、ステップ４３で順位付けされた所定の地点情報に対して、現在（リアルタイム）の渋滞情報が考慮される。すなわち、順位付け部４３により、渋滞情報取得部４４で取得された現在の渋滞情報が考慮され、必要に応じて再度順位付けが行われる。つまり、順位付け部４３は、現在の渋滞情報を考慮すると、ステップＳ４３で実行した所定の地点情報の順位付けが適当でないと判断した場合、渋滞情報を考慮した順位付けを再度実行する。現在の渋滞情報を考慮した順位付けが完了すると、ステップＳ４５へ進む。
【００６２】
ステップ４５では、渋滞情報記憶部４５に記憶されている過去の渋滞情報が考慮される。すなわち、順位付け部４３により、現在の渋滞情報が考慮された順位付けに対して、更に過去の渋滞情報が考慮され、必要に応じて再度順位付けが行われる。例えば、ステップＳ４３において、スポットＢを最初の目的地として順位付けし、現在の渋滞情報では、特に混雑していなかった場合であっても、スポットＢまでの誘導経路としてルートＥが選択されており、現在の時間帯が土日祝日の午後であるような場合（図１２参照）、混雑レベルを考慮して再度順位付けが行われる。その結果、例えば、スポットＣ、スポットＢ、スポットＡ、スポットＤ、スポットＥといった順位付けが行われる。このように、現在の渋滞情報のみならず、過去の渋滞情報をも考慮することで、タイムラグ等による誤差に左右されない、より適正な順位付けを行うことが可能となる。過去の渋滞情報を考慮した順位付けが完了したらステップＳ５１へ進む。
【００６３】
なお、渋滞情報の取得は、ステップＳ４２からステップＳ４４による処理とは、別の処理として、所定の間隔で繰り返される。すなわち、渋滞情報は、渋滞情報取得部４４が、例えば５分間隔で取得されるＶＩＣＳ情報を取得することで行われる。また、本実施形態では、取得された渋滞情報が、渋滞情報記憶部４５に随時記憶される（図１２参照）。従って、渋滞情報記憶部４５への渋滞情報の記憶、すなわち図１２に例示されるデータベースの生成処理も、ステップＳ４２からステップＳ４４による処理とは、別の処理として行えばよい。
【００６４】
ステップＳ５１では、順位付けが実行された所定の地点情報に含まれる位置情報に基づいて目的地の設定が行われる。例えば、ステップＳ４５において、スポットＣ、スポットＢ、スポットＡ、スポットＤ、スポットＥといった順位付けが行われた場合、目的地設定部４６によって、最初の目的地が物件Ｃと設定され、経路案内が開始される。物件Ｃへの経路案内が完了すると、次の目的地として設定されている物件Ｂの経路案内が開始されることになる。なお、図１５は、ナビゲーション装置４ａのディスプレイ３５の表示状態を示す。ディスプレイ３５には、現在地から最初の目的地として設定されたスポットＣまで
の経路と、その他のスポット（スポットＣ、スポットＢ、スポットＡ、スポットＤ、スポットＥ）が表示されている。
【００６５】
＜効果＞
以上説明した第二実施形態のナビゲーションシステム１によれば、第一実施形態のナビゲーションシステム１による効果に加えて、複数の地点情報に含まれる位置情報を携帯端末から同時に受け付けることができるので、その都度目的地を設定するといった煩わしさを解消することができる。また、第二実施形態のナビゲーションシステム１によれば、現在位置から目的地までの距離に基づいて順位付けをした上で目的地が設定されるので、ユーザが自ら順位付けする必要がなく、ユーザの操作負担を軽減することができる。
【００６６】
[第三実施形態]
次に第三実施形態のナビゲーションシステム１について説明する。以下の説明では、第一実施形態のナビゲーションシステム１との相違点を中心に説明するものとする。
【００６７】
第三実施形態のナビゲーションシステム１は、携帯端末３ａの制御部２１ｂの構成のみが第一実施形態のナビゲーションシステム１の携帯端末３の構成と異なる。図１６は、第三実施形態の携帯端末３ａの制御部２１ｂの機能ブロック図を示す。同図に示すように、第三実施形態の携帯端末３ａは、ＧＰＳ情報受信部２９ｄを有し、第三実施形態の制御部２１ｂには、第一実施形態の制御部２１ａの構成に加えて、現在位置情報取得部２９ａ、ランキング情報取得部２９ｂ、並び替え部２９ｃが更に設けられている。
【００６８】
現在位置情報取得部２９ａは、携帯端末３ａに設けられているＧＰＳ情報受信部２９ｄから現在位置情報を取得する。ランキング情報取得部２９ｂは、地点情報に関する様々なランキング情報を取得する。並び替え部２９ｃは、現在位置情報取得部２９ａで取得された現在位置情報と受信部２７で受信した複数の所定の地点情報に含まれる位置情報とを比較し、現在位置から目的地までの距離と現在位置から目的地までの所要時間とのうち少なくともともいずれか一つを含む所定の条件に基づいて、位置情報の順位付けを行う。また、並び替え部２９ｃは、ランキング情報に基づいて、受信部２７で受信した複数の所定の地点情報を並び替える。転送部２８は、並び替えられた複数の所定の地点情報を赤外線通信によってナビゲーション装置４へ転送する。なお、ランキング情報取得部２９ｂ、並び替え部２９ｃは、ＣＰＵ２１上で実行されるコンピュータプログラムとして構成することができる。また、ランキング情報取得部２９ｂ、並び替え部２９ｃは、専用のプロセッサとして構成してもよい。
【００６９】
なお、転送部２８によって並び替えられた複数の所定の地点情報を赤外線通信によってナビゲーション装置４へ転送されると、ナビゲーション装置４では、この並び替えられた複数の所定の地点情報に含まれる位置情報に基づいて目的地の設定が行われる。以上により、第三実施形態のナビゲーションシステム１によれば、携帯端末側で地点情報の並べ替えを行うことができる。
【図面の簡単な説明】
【００７０】
【図１】第一実施形態のナビゲーションシステムの概略構成を示す。
【図２】サーバの機能ブロック図を示す。
【図３】記憶部に記憶されている地点情報の概略構成を示す。
【図４】地点情報を構成するデータベースの一例を示す。
【図５】携帯端末の表示部に表示される検索画面の一例を示す。
【図６】携帯端末の機能ブロック図を示す。
【図７】サーバから携帯端末へ送信された地点情報の表示状態の一例を示す。
【図８】ナビゲーション装置の概略構成を示す。
【図９】ナビ制御部の機能ブロック図を示す。
【図１０】第一実施形態のナビゲーションシステムで行われる処理フローを示す。
【図１１】第二実施形態のナビ制御部の機能ブロック図を示す。
【図１２】渋滞情報のデータベースの一例を示す。
【図１３】第二実施形態のナビゲーションシステムで行われる目的地設定処理フローを示す。
【図１４】複数の地点情報を一度に転送する場合のシーケンス図を示す。
【図１５】ナビゲーション装置のディスプレイの表示状態を示す。
【図１６】第三実施形態の携帯端末の制御部の機能ブロック図を示す。
【符号の説明】
【００７１】
１・・・ナビゲーションシステム
２・・・サーバ
３・・・携帯端末
４、４ａ・・・ナビゲーション装置
５・・・車両
１０、２０・・・バス
１１、２１・・・ＣＰＵ
１２、３７・・・操作部
１４、２３・・・メモリ
１５、２２・・・記憶部
１５、２５・・・表示部
１６・・・書き込み情報受付部
１７・・・抽出部
１８・・・送信部
１９・・・地点情報生成部
２６・・・インターフェース部
２７・・・受信部
２８・・・転送部
２９・・・送信ボタン
３０、３０ａ・・・ナビ制御部
３１・・・ディスク再生部
３２・・・メモリーカード再生部
３３・・・ＴＶ受信部
３４・・・ラジオ受信部
３５・・・ディスプレイ
３６・・・ＧＰＳ情報受信部
３８・・・赤外線通信部
４１・・・受付部
４２・・・現在位置情報取得部
４３・・・順位付け部
４４・・・状態情報取得部
４５・・・渋滞情報記憶部
４６・・・目的地設定部
【図１】
2009156848.tif 000003
【図２】
2009156848.tif 000004
【図３】
2009156848.tif 000005
【図４】
2009156848.tif 000006
【図５】
2009156848.tif 000007
【図６】
2009156848.tif 000008
【図７】
2009156848.tif 000009
【図８】
2009156848.tif 000010
【図９】
2009156848.tif 000011
【図１０】
2009156848.tif 000012
【図１１】
2009156848.tif 000013
【図１２】
2009156848.tif 000014
【図１３】
2009156848.tif 000015
【図１４】
2009156848.tif 000016
【図１５】
2009156848.tif 000017
【図１６】
2009156848.tif 000018
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
サーバで管理される少なくとも位置情報を含む地点情報を携帯端末を介してナビゲーション装置に転送して該ナビゲーション装置の目的地を設定するナビゲーションシステムであって、
前記サーバは、
複数のユーザからの書き込み情報をネットワークを介して受け付ける書き込み情報受付手段と、
前記書き込み情報受付手段で受け付けた書き込み情報に基づいて、前記地点情報を生成する地点情報生成手段と、
前記地点情報生成手段で生成された地点情報を記憶する記憶手段と、
前記記憶手段で記憶した地点情報から、前記携帯端末からの検索要求に応じて前記目的地の候補に対応する所定の地点情報を抽出する抽出手段と、
前記抽出手段で抽出された所定の地点情報を前記携帯端末へ送信する送信手段と、を備え、
前記携帯端末は、
前記送信手段で送信された所定の地点情報を受信する受信手段と、
前記受信手段で受信された所定の地点情報を表示する端末表示手段と、
前記端末表示手段で表示される所定の地点情報を前記ナビゲーション装置へ転送する転送手段と、を備え、
前記ナビゲーション装置は、
前記携帯端末から転送される所定の地点情報を受け付ける受付手段と、
前記受付手段で受け付けた所定の地点情報に含まれる位置情報に基づいて目的地を設定する目的地設定手段と、
前記目的地設定手段で設定された目的地までの経路を表示するナビ表示手段と、を備えるナビゲーションシステム。
【請求項２】
前記受付手段は、前記転送手段から一度の転送で複数の所定の地点情報を受け付け、
前記ナビゲーション装置は、
該ナビゲーション装置の現在位置に関する現在位置情報を取得する現在位置情報取得手段と、
前記現在位置情報取得手段で取得された現在位置情報と前記受付手段で受け付けた複数の所定の地点情報に含まれる位置情報とを比較し、現在位置から目的地までの距離と現在位置から目的地までの所要時間とのうち少なくともいずれか一つを含む所定の条件に基づいて、前記複数の所定の地点情報の順位付けを行う順位付け手段と、を更に備え、
前記目的地設定手段は、前記順位付け手段で順位付けた複数の所定の地点情報に含まれる位置情報に基づいて目的地を設定する、請求項１に記載のナビゲーションシステム。
【請求項３】
前記ナビ表示手段は、前記目的地設定手段で設定された目的地までの経路に加えて、前記受付手段で受け付けた地点情報を表示する、請求項１又は請求項２に記載のナビゲーションシステム。
【請求項４】
前記携帯端末の受信手段は、複数の所定の地点情報を受信し、
前記携帯端末は、前記複数の所定の地点情報を所定の条件に従って並び替える並び替え手段を更に備え、
前記携帯端末の転送手段は、前記並び替え手段によって並び替えられた複数の所定の地点情報を前記ナビゲーション装置へ転送し、
前記ナビゲーション装置の受付手段は、前記携帯端末から転送される並び替えられた複数の所定の地点情報を受け付け、
前記目的地設定手段は、前記受付手段で受け付けた並び替えられた複数の所定の地点情報に含まれる位置情報に基づいて目的地を設定する
請求項１から請求項３のいずれか一に記載のナビゲーションシステム。
【請求項５】
目的地までの経路探索を行うナビゲーション装置であって、
前記携帯端末から転送される所定の地点情報を受け付ける受付手段と、
前記受付手段で受け付けた地点情報に含まれる位置情報に基づいて目的地を設定する目的地設定手段と、
前記目的地設定手段で設定された目的地までの経路を表示するナビ表示手段と、を備え、
前記所定の地点情報は、サーバで管理される地点情報であって、ネットワークを介して受け付けられる複数のユーザからの書き込み情報に基づいて生成された地点情報から、前記携帯端末からの検索要求に応じて抽出された前記目的地の候補に対応する地点情報である、ナビゲーション装置。
【請求項６】
前記受付手段は、前記転送手段から一度の転送で複数の所定の地点情報を受け付け、
前記ナビゲーション装置の現在位置に関する現在位置情報を取得する現在位置情報取得手段と、
前記現在位置情報取得手段で取得された現在位置情報と前記受付手段で受け付けた複数の所定の地点情報に含まれる位置情報とを比較し、現在位置から目的地までの距離と現在位置から目的地までの所要時間とのうち少なくともいずれか一つを含む所定の条件に基づいて、前記複数の所定の地点情報の順位付けを行う順位付け手段と、を更に備え、
前記目的地設定手段は、前記順位付け手段で順位付けた複数の所定の地点情報に含まれる位置情報に基づいて目的地を設定する、請求項５に記載のナビゲーション装置。
【請求項７】
前記ナビ表示手段は、前記目的地設定手段で設定された目的地までの経路に加えて、前記受付手段で受け付けた地点情報を表示する、請求項５又は請求項６に記載のナビゲーション装置。
【請求項８】
サーバで管理される少なくとも位置情報を含む地点情報を携帯端末を介してナビゲーシ
ョン装置に転送して該ナビゲーション装置の目的地を設定する目的地設定方法であって、
前記サーバでは、
複数のユーザからの書き込み情報をネットワークを介して受け付ける書き込み情報受付ステップと、
前記書き込み情報受付ステップで受け付けた書き込み情報に基づいて、地点情報を生成する地点情報生成ステップと、
前記地点情報生成ステップで生成された地点情報を記憶する記憶ステップと、
前記記憶ステップで記憶した地点情報から、前記携帯端末からの検索要求に応じて前記目的地の候補に対応する所定の地点情報を抽出する抽出ステップと、
前記抽出ステップで抽出された所定の地点情報を前記携帯端末へ送信する送信ステップと、が実行され、
前記携帯端末では、
前記送信ステップで送信された所定の地点情報を受信する受信ステップと、
前記受信ステップで受信された所定の地点情報を表示する端末表示ステップと、
前記端末表示ステップで表示される所定の地点情報を前記ナビゲーション装置へ転送する転送ステップと、が実行され、
前記ナビゲーション装置では、
前記携帯端末から転送される所定の地点情報を受け付ける受付ステップと、
前記受付ステップで受け付けた所定の地点情報に含まれる位置情報に基づいて目的地を設定する目的地設定ステップと、
前記目的地設定ステップで設定された目的地までの経路を表示するナビ表示ステップと、が実行される目的地設定方法。
【請求項９】
前記受付ステップでは、前記転送ステップにおいて一度の転送で複数の所定の地点情報を受け付け、
前記ナビゲーション装置では、
該ナビゲーション装置の現在位置に関する現在位置情報を取得する現在位置情報取得ステップと、
前記現在位置情報取得ステップで取得された現在位置情報と前記受付ステップで受け付けた複数の所定の地点情報に含まれる位置情報とを比較し、現在位置から目的地までの距離と現在位置から目的地までの所要時間とのうち少なくともいずれか一つを含む所定の条件に基づいて、前記複数の所定の地点情報の順位付けを行う順位付けステップと、が更に実行され、
前記目的地設定ステップでは、前記順位付けステップで順位付けた複数の所定の地点情報に含まれる位置情報に基づいて目的地が設定される、請求項８に記載の目的地設定方法。
【請求項１０】
前記ナビ表示ステップでは、前記目的地設定ステップで設定された目的地までの経路に加えて、前記受付ステップで受け付けた地点情報が表示される、請求項８又は請求項９に記載の目的地設定方法。
のデッドロック事前検出プログラム。
【手続補正２】
【補正対象書類名】明細書
【補正対象項目名】００１２
【補正方法】変更
【補正の内容】
【００１２】
なお、ナビゲーション装置の受付手段は、前記転送手段から一度の転送で複数の所定の地点情報を受け付けてもよい。その場合、本発明において、前記受付手段は、前記携帯端
末から複数の所定の地点情報を受け付け、前記ナビゲーション装置は、前記ナビゲーション装置の現在位置に関する現在位置情報を取得する現在位置情報取得手段と、前記現在位置情報取得手段で取得された現在位置情報と前記受付手段で受け付けた複数の所定の地点情報に含まれる位置情報とを比較し、現在位置から目的地までの距離と現在位置から目的地までの所要時間とのうち少なくともいずれか一つを含む所定の条件に基づいて、前記複数の所定の地点情報の順位付けを行う順位付け手段と、を更に備え、前記目的地設定手段は、前記順位付け手段で順位付けた複数の所定の地点情報に含まれる位置情報に基づいて目的地を設定することができる。